(57)【要約】【課題】被着信側の無線端末が内部時計を持たない場合でも着信時刻を取得することができる無線端末着信時刻履歴表示方法を提供する。【解決手段】呼び出し側無線端末から送出された被呼び出し側端末へのメッセージを受信したトランキングシステムの基地局において前記メッセージ受信時の時刻データを取得し、該時刻データを含む前記メッセージを前記基地局から前記被呼び出し側無線端末に送出し、前記時刻データを含む前記メッセージを受信した前記被呼び出し側無線端末において前記呼び出し側無線端末の識別情報と着信履歴として前記時刻データに基づく時刻とを表示する。【選択図】        図１
2005175646.tif 000002
【特許請求の範囲】
【請求項１】
呼び出し側無線端末から送出された被呼び出し側端末へのメッセージを受信したトランキングシステムの基地局において前記メッセージ受信時の時刻データを取得し、該時刻データを含む前記メッセージを前記基地局から前記被呼び出し側無線端末に送出し、前記時刻データを含む前記メッセージを受信した前記被呼び出し側無線端末において前記呼び出し側無線端末の識別情報と着信履歴として前記時刻データに基づく時刻とを表示することを特徴とする無線端末着信時刻履歴表示方法。
【請求項２】
呼び出し側無線端末から送出された被呼び出し側端末へのメッセージを受信したトランキングシステムの基地局において前記メッセージを前記被呼び出し側無線端末へ送出し、これを受信した前記被呼び出し無線端末からの応答メッセージを前記基地局にて受信し、前記基地局において前記応答メッセージ受信時の時刻データを取得し、該時刻データを含む前記応答メッセージを前記基地局から前記呼び出し側無線端末に送出し、前記基地局から送出された前記時刻データおよび応答メッセージを受信した前記呼び出し側無線端末において前記被呼び出し側無線端末の識別情報と発信履歴として前記時刻データに基づく時刻とを表示することを特徴とする無線端末着信時刻履歴表示方法。
【発明の詳細な説明】
【技術分野】
【０００１】
本発明は無線端末における着信時刻履歴の表示を行う無線端末着信時刻履歴表示方法に関する。
【背景技術】
【０００２】
時刻表記機能を有する無線端末において、表示された時刻表示が現在時刻表示か受信時刻表示かを明確に区分するために、受信時刻表示に対して呼び出し表示であることを表示するタイムスタンプを設けることが提案されている。この場合時計機能は無線端末に設けられている。（例えば、特許文献１参照）
【特許文献１】特開平５−９１０２３号公報
【０００３】
また一方、無線端末における従来の着信履歴表示は、例えば図５および図６の説明図に示すように着信側無線端末に設けられた内部時計から時間データを取得して表示し、着信履歴としていた。
【０００４】
図５および図６はトランキングシステムを利用した従来お無線端末の作用を示す。図５および図６の説明図に示すように、無線端末Ａから無線端末Ｂを呼び出し、無線端末ＡのＩＤと無線端末ＢのＩＤ情報を含んだ呼び出しメッセージａを基地局に出力する（ステップＳ１）。Ｉｄｅｎｔ１は呼び出し側の無線端末（無線端末Ａ）のＩＤを示し、Ｉｄｅｎｔ２は被呼び出し側の無線端末（無線端末Ｂ）のＩＤを示す。
【０００５】
基地局はメッセージａを受信し（ステップＳ２）、受信データから、無線端末ＡのＩＤと無線端末ＢのＩＤ情報を含んだ呼び出しメッセージｂを出力する（ステップＳ３）。無線端末Ｂは呼び出しメッセージｂを受信し（ステップＳ４）、受信メッセージから呼び出し側の無線端末ＡのＩＤを取得し（ステップＳ５）、無線端末Ｂの内部時計から時刻データを取得して（ステップＳ６）、無線端末Ａからの呼び出しを受けない（拒否）で（ステップＳ７）、無線端末Ｂは取得したデータを基に、着信履歴として着信時刻と呼び出し側の無線端末のＩＤを表示する。
【発明の開示】
【発明が解決しようとする課題】
【０００６】
しかしながら、内部時計を持たない無線端末では、呼び出しメッセージの中には時刻データが存在しないため、着信時刻を取得することはできず、着信時刻の表示を行っていなかった。このため、被呼び出し側の無線端末の受信者が着信時に不在だった場合は、着信時刻を知ることができないという問題点があった。
【０００７】
本発明は、被着信側の無線端末が内部時計を持たない場合でも着信時刻を取得することができる無線端末着信時刻履歴表示方法を提供することを目的とする。
【課題を解決するための手段】
【０００８】
本発明の請求項１にかかる無線端末着信時刻履歴表示方法は、呼び出し側無線端末から送出された被呼び出し側端末へのメッセージを受信したトランキングシステムの基地局において前記メッセージ受信時の時刻データを取得し、該時刻データを含む前記メッセージを前記基地局から前記被呼び出し側無線端末に送出し、前記時刻データを含む前記メッセージを受信した前記被呼び出し側無線端末において前記呼び出し側無線端末の識別情報と着信履歴として前記時刻データに基づく時刻とを表示することを特徴とする。
【０００９】
本発明の請求項２にかかる無線端末着信時刻履歴表示方法は、呼び出し側無線端末から送出された被呼び出し側端末へのメッセージを受信したトランキングシステムの基地局において前記メッセージを前記被呼び出し側無線端末へ送出し、これを受信した前記被呼び出し無線端末からの応答メッセージを前記基地局にて受信し、前記基地局において前記応答メッセージ受信時の時刻データを取得し、該時刻データを含む前記応答メッセージを前記基地局から前記呼び出し側無線端末に送出し、前記基地局から送出された前記時刻データおよび応答メッセージを受信した前記呼び出し側無線端末において前記被呼び出し側無線端末の識別情報と発信履歴として前記時刻データに基づく時刻とを表示することを特徴とする。
【発明の効果】
【００１０】
本発明の請求項１にかかる無線端末着信時刻履歴表示方法によれば、被呼び出し側無線端末において、基地局からの時刻データを含む呼び出し側無線端末からのメッセージを受けた被呼び出し側無線端末において、呼び出し側無線端末の識別情報と着信履歴として前記時刻データに基づく時刻とが表示されることになって、呼び出し側無線端末および被呼び出し側無線端末に時計機能を持たなくても着信時刻が取得できて着信時刻履歴表示が行われることになる。この結果、無線端末の電力消費が減少する。
【００１１】
本発明の請求項２にかかる無線端末着信時刻履歴表示方法によれば、呼び出し側無線端末から送出された被呼び出し側端末へのメッセージを受信したトランキングシステムの基地局において前記メッセージが前記被呼び出し側無線端末へ送出され、これを受信した前記被呼び出し無線端末から応答メッセージが前記基地局へ送出され、該応答メッセージを受信した前記基地局において前記応答メッセージ受信時の時刻データが取得されて、該時刻データを含む前記応答メッセージが前記基地局から前記呼び出し側無線端末へ送出され、前記基地局から送出された前記時刻データおよび応答メッセージを受信した前記呼び出し側無線端末において前記被呼び出し側無線端末の識別情報と発信履歴として前記時刻データに基づく時刻とが表示されることになって、呼び出し側無線端末および被呼び出し側無線端末に時計機能を持たなくても発信時刻が取得できて発信時刻履歴表示が行われることになる。この結果、無線端末の電力消費が減少する。
【発明を実施するための最良の形態】
【００１２】
以下、本発明にかかる無線端末着信時刻履歴表示方法を実施の一形態によって説明する。
【００１３】
図１および図２は本発明の実施の一形態にかかる無線端末着信時刻履歴表示方法の説明図である。
【００１４】
本発明の実施の一形態にかかる無線端末着信時刻履歴表示方法において無線端末Ａおよび無線端末Ｂには内部時計を搭載していないものとする。本発明の実施の一形態にかかる無線端末着信時刻履歴表示方法では、図１および図２の説明図に示すごとく、無線端末Ａから無線端末Ｂを呼び出し、無線端末ＡのＩＤと無線端末ＢのＩＤ情報を含んだ呼び出しメッセージｃを基地局に出力する（ステップＳ１１）。ｃｌｏｃｋｄａｔａは基地局で取得した時刻データを示す。
【００１５】
基地局はメッセージｃを受信し（ステップＳ１２）、基地局の内部時計から時刻データを取得する（ステップＳ１３）。基地局は受信データから、無線端末ＡのＩＤと無線端末ＢのＩＤ情報を取得した時間データを含んだ呼び出しメッセージｄを出力する（ステップＳ１４）。無線端末Ｂは呼び出しメッセージｄを受信し（ステップＳ１５）、受信メッセージから呼び出し側の無線端末ＡのＩＤと基地局からの時刻データを取得し（ステップＳ１６）、無線端末Ａからの呼び出しを受けない（拒否）で（ステップＳ１７）、無線端末Ｂは取得したデータを基に、着信履歴として着信時刻と呼び出し側の無線端末ＩＤを表示する。
【００１６】
以上説明したように、本発明の実施の一形態にかかる無線端末着信時刻履歴表示方法によれば、時計機能を搭載していない無線端末でも着信時刻を表示することができ、呼び出された時刻を把握することが可能となる。これは被呼び出し側の無線端末の受信者が着信時に不在だった場合でも同様である。また無線端末に時計機能を搭載していないため、無線端末の電池の消耗を抑えることができる。
【００１７】
次に、本発明にかかる無線端末着信時刻履歴表示方法の変形例を実施の一形態によって説明する。
【００１８】
図３および図４は本発明の実施の一形態にかかる無線端末着信時刻履歴表示方法の変形例の説明図である。
【００１９】
本発明の実施の一形態にかかる無線端末着信時刻履歴表示方法の変形例においても無線端末Ａおよび無線端末Ｂには内部時計を搭載していないものとする。本発明の実施の一形態にかかる無線端末着信時刻履歴表示方法の変形例では、図３および図４の説明図に示すごとく、無線端末Ａから無線端末Ｂを呼び出し、無線端末ＡのＩＤと無線端末ＢのＩＤ情報を含んだ呼び出しメッセージｅを基地局に出力する（ステップＳ２１）。
【００２０】
基地局はメッセージｅを受信し、基地局から呼び出し側の無線端末ＡのＩＤ情報を含むメッセージｆを無線端末Ｂへ送出する（ステップＳ２２）。無線端末Ｂでは無線端末Ａからのメッセージｆを受けるかもしくは受けない（ステップＳ２３）。次いで無線端末Ｂから無線端末ＢのＩＤと無線端末ＡのＩＤを含んだ応答メッセージｇを出力し（ステップＳ２４）、基地局は応答メッセージｇを受信し（ステップＳ２５）、基地局の内部時計から時刻データを取得し、基地局から応答メッセージｇと時刻データを含んだ応答メッセージｈを出力する（ステップＳ２６）。無線端末Ａは応答メッセージｈを受信し（ステップＳ２７）、受信メッセージｈから、被呼び出し側の無線端末ＢのＩＤと基地局からの時刻データを取得して（ステップＳ２８）、無線端末Ａでは取得したデータを基に、応答時刻履歴としての応答時刻と無線端末ＢのＩＤとを表示すると共に無線端末Ｂがメッセージを受けたか否かを知る。
【００２１】
以上説明したように、本発明の実施の一形態にかかる無線端末着信時刻履歴表示方法の変形例によれば、時計機能を搭載していない無線端末でも応答時刻を表示することができ、無線端末Ｂを呼び出した時刻を把握することが可能となる。また時計機能を搭載していない分、電池の消費を抑えることができる。
【図面の簡単な説明】
【００２２】
【図１】本発明の実施の一形態にかかる無線端末着信時刻履歴表示方法の説明図である。
【図２】本発明の実施の一形態にかかる無線端末着信時刻履歴表示方法の説明図である。
【図３】本発明の実施の一形態にかかる無線端末着信時刻履歴表示方法の変形例の説明図である。
【図４】本発明の実施の一形態にかかる無線端末着信時刻履歴表示方法の変形例の説明図である。
【図５】従来の無線端末着信時刻履歴表示方法の説明図である。
【図６】従来の無線端末着信時刻履歴表示方法の説明図である。
【符号の説明】
【００２３】
Ｂ  無線端末
【図１】
2005175646.tif 000003
【図２】
2005175646.tif 000004
【図３】
2005175646.tif 000005
【図４】
2005175646.tif 000006
【図５】
2005175646.tif 000007
【図６】
2005175646.tif 000008